(57)【要約】【課題】本体から送出した高湿風が到達する距離をより長くすることが可能な加湿器を提供すること【解決手段】課題を解決するためには、加湿器において、貯水部と、この貯水部の水で高湿風を生成する高湿風生成部と、高湿風を外部に送出する高湿風送出口と、気流を発生させる送風ファンと、気流を温めて温風を生成する加熱部と、温風を外部に送出する温風送出口とを有し、高湿風送出口の下には、温風送出口が位置するように構成すればよい。  このように構成することで、本体から送出した高湿空気が到達する距離をより長くすることが可能な加湿器を提供することができる。【選択図】図１
2016130598.tif 000002
【特許請求の範囲】
【請求項１】
貯水部と
前記貯水部の水で高湿風を生成する高湿風生成部と、
前記高湿風を外部に送出する高湿風送出口と、
気流を発生させる送風ファンと、
前記気流を温めて温風を生成する加熱部と、
前記温風を外部に送出する温風送出口と、
を有し、
前記高湿風送出口の下には、前記温風送出口が位置することを特徴とする加湿器。
【請求項２】
前記高湿風送出口から送出する前記高湿風は、前記温風が送出する方向に交わる方向に向くことを特徴とする請求項１に記載の加湿器。
【請求項３】
前記加熱部は、自己温度制御式のヒータを用いることを特徴とする請求項１から請求項２に記載の加湿器。  
【請求項４】
前記高湿空気生成部は、超音波振動子を用いることを特徴とする請求項１から請求項３に記載の加湿器。
【請求項５】
前記高湿空気生成部は、気化フィルタを用いることを特徴とする請求項１から請求項３に記載の加湿器。
【請求項６】
前記高湿風送出口には、送出される高湿風に乱流を生成する乱流生成部を設けたことを特徴とする請求項１から請求項５に記載の加湿器。  
【請求項７】
前記高湿空気生成部又は前記貯水部には、水に含まれる雑菌を減少させる除菌手段を備えたことを特徴とする請求項１から請求項６に記載の加湿器。
【発明の詳細な説明】
【技術分野】
【０００１】
本発明は加湿器に関する。
【背景技術】
【０００２】
従来から、本体内部に、貯水部と、貯水部の水を霧化して霧（細かい水の粒）を生成する超音波振動子と、本体内部から外部へと流れる気流を発生させる送風機（ファン）と、本体内部の空気を加熱するヒータを有する加湿器がある。
このような加湿器は、送風機により生成された気流をヒータにより加熱し、加熱した空気を本体内部で霧と混合して高湿空気を生成し、この高湿空気を本体外部へと送出して高湿風を送ることで、空間を加湿するものである（例えば、特許文献１参照）。
【先行技術文献】
【特許文献】
【０００３】
【特許文献１】実公昭６０−５７０号公報
【発明の概要】
【発明が解決しようとする課題】
【０００４】
しかしながら従来の構成では、高湿風のもとである高湿空気は、加熱された空気と霧とが本体内部で混合することにより生成されているので、温度が加湿器の使用空間の温度より温かい。つまり、高湿空気が本体外部に吹き出され高湿風となった際に、上昇して拡散しやすい。
従って、高湿風を所望の位置に到達させたい場合、高湿風が送出されてから狙った位置に至るまでに拡散してしまい、高湿風の到達距離が短くなり、狙った位置に高湿空気を送ることが難しいという課題がある。
【０００５】
本発明は、上記のような課題を解決する為になされたもので、本体から送出した高湿風が到達する距離をより長くすることが可能な加湿器を提供することを目的とする。
【課題を解決するための手段】
【０００６】
上記の課題を解決するためには、加湿器において、貯水部と、この貯水部の水で高湿風を生成する高湿風生成部と、高湿風を外部に送出する高湿風送出口と、気流を発生させる送風ファンと、気流を温めて温風を生成する加熱部と、温風を外部に送出する温風送出口とを有し、高湿風送出口の下には、温風送出口が位置するように構成すればよい。
【発明の効果】
【０００７】
本発明によれば、本体から送出した高湿空気が到達する距離をより長くすることが可能な加湿器を提供することができる。
【図面の簡単な説明】
【０００８】
【図１】実施の形態１を示す加湿器の斜視図
【図２】図１のＡ−Ａ断面図（縦断面図）
【図３】実施の形態１の加湿器の動作を示すフローチャート
【図４】実施の形態２を示す加湿器の縦断面図
【図５】実施の形態３を示す加湿器の斜視図
【図６】図５のＢ−Ｂ断面図（縦断面図）
【発明を実施するための形態】
【０００９】
実施の形態１
図１〜図２を参照して、実施の形態１に係る加湿器Ａを説明する。
加湿器Ａは、本体１０と、本体１０に設けられる給水タンク２０と、給水タンク２０から供給された水を貯める貯水部３０と、貯水部３０に貯められた水から高湿空気Ｗ０を生成する高湿空気生成部である超音振動素子４０と、本体１０の内部から外部に向けて流れる気流Ｗ１を生成する送風ファン５０と、送風ファン５０からの気流Ｗ１と超音波振動子４０からの高湿空気Ｗ０により生成される高湿風Ｗ２を本体１０の外部に導く高湿風ダクト６０と、送風ファン５０からの気流Ｗ１を暖めて温風Ｗ３を生成する加熱部７０と、温風Ｗ３を本体１０の外部に導く送風ダクト８０と、運転開始や停止・出力の変更・運転状態の表示を行う操作表示部９０と、操作表示部９０への入力に基づき操作表示部９０の表示手段や送風ファン５０や加熱部７０の通電制御を行う制御部１００を有する。
【００１０】
給水タンク２０は、加湿器Ａから取り外して水の補充が可能となるように、貯水部３０に形成されたタンク受け部３１に着脱可能に連結される。給水タンク２０の下面部には、タンク受け部３１に連結されたときに開弁し、当該位置から取外されたときに閉弁する給水弁２１が設けられている。
貯水部３０は、本体１０の後側に位置し、上方に向けて開口する凹形状の空間であり、給水弁２１が下となるように、給水タンク２０の下部（給水弁２１が開閉する開口）が入り込んだ状態で、給水タンク２０が取り付けられるタンク受け部３１が形成されている。
このように給水タンク２０を貯水部３０に装着可能に構成することで、貯水部３０の給水弁２１が開閉する給水タンク２０の開口の高さの位置まで、給水タンク２０から貯水部３０に水が供給される。
尚、本実施の形態において、貯水部３０に貯水する水は給水タンク２０から供給される形態で説明しているが、給水タンク２０を用いずに、直接貯水部３０に水を供給する構成としてもよい。
【００１１】
次に、貯水部３０の内部には、高湿空気Ｗ０を生成する高湿空気生成部である超音波振動子４０が設けられている。この超音波振動子４０は、振動子が振動して発する超音波により貯水部３０の水を微細な粒子であるミスト状にして貯水部３０の外部に噴出することで、高湿空気Ｗ０を生成するものである。  
【００１２】
次に、高湿風生成部となる高湿風ダクト６０は、送風ファン５０に向けて開口して気流Ｗ１を取込む気流取込口６１と高湿風Ｗ２を外部に送出する高湿風送出口６２が形成される。高湿風ダクト６０は、気流取込口６１が下方を向き、この気流取込口６１から垂直方向に伸び、途中から前方に向けて湾曲して、前面に位置する高湿風送出口６２に至る筒形状を成している。
【００１３】
高湿風送出口６２には、風向調整部６３が設けられている。風向調整部６３は、板状を成しており、左右を軸支することで、先端を上下可能に高湿風送出口６２の開口縁の上側に設けられている。
高湿風ダクト６０の途中部位には、ダクトの内部に貯水部３０の一部分が入り込むように構成されている。そして、高湿風ダクト６０の内部に入り込んだ貯水部３０の位置に、超音波振動子４０が設けられている。
【００１４】
つまり、貯水部３０の一部分は、高湿風ダクト６０と上下となるように構成され、超音波振動子４０の設けられている貯水部４０の位置の上方には、後述する高湿風ダクト６０が開口する。
このように構成することで、超音波振動子４０により生成され上方に向けて噴出する高湿空気Ｗ０は、高湿風ダクト６０の内部へと流れ込みやすい構成となっている。
【００１５】
次に、送風ダクト８０は、送風ファン５０に向けて開口して気流Ｗ１を取込む気流取込口８１と、気流Ｗ１を加熱して温風Ｗ３を生成する加熱部７０と、温風Ｗ３を外部に送出する温風送出口８２を有する。
この送風ダクト８０は、気流取込口８１が下方を向き、気流取込口８１から垂直方向に伸び、途中から前方に向けて湾曲して、前面に位置する高湿風送出口６２に至る筒形状を成している。また、加熱部７０は、気流取込口８１から湾曲部分の手前の直線部分に設けることで、加熱部７０を構成するヒータが湾曲した部分に位置しないようにして、湾曲位置での気流の流れの圧力損失を低減している。
【００１６】
以上のように、高湿風ダクト６０と送風ダクト８０は、それぞれ独立した風路を形成している。また、送風ダクト８０の気流取込口８１は高湿風ダクト６０の気流取込口６１の前方に位置し、高湿風送出口６２は温風送出口８２の下方に位置する。
高湿風ダクト６０は、送風ダクト８０の後方から上方にかけて位置しており、高湿風ダクト６０は送風ダクト８０の外形状に沿って湾曲した形状となっている。つまり、高湿風ダクト６０の湾曲半径は、送風ダクト８０の湾曲半径より大きくなる。従って、高湿風ダクト６０の長さは、送風ダクト８０の長さより長くなる。
【００１７】
言い換えると、高湿風ダクト６０を送風ダクト８０の後方から上方にかけて配置することで、高湿風ダクト６０の長さを送風ダクト８０の長さより、長くなるように構成している。
尚、本実施の形態では、いずれのダクトも湾曲させて前方に高湿風送出口６２と温風送出口８２を向けているが、ダクトを屈曲（例えば９０度曲げる）させて、高湿風送出口６２と温風送出口８２を前方に向けてもよい。
【００１８】
次に、送風ファン５０は、モータ５１とこのモータ５１により回転されることで気流Ｗ１を生み出す翼部５２からなり、本体１０の下部領域に形成された吸気風路１１の内部に設けられている。送風ファン５０（モータ５１）は、後述する制御部１００により通電制御されることで、駆動・停止・風量・風速がコントロールされる。
吸気風路１１は、本体１０の後部に開口する吸気口１２から送風ダクト８０の気流取込口８１又は高湿風ダクト６０の気流取込口６１に至る空間である。
翼部５２は、送風ダクト８０と高湿風ダクト６０の下方に位置し、送風ダクト８０の気流取込口８１と高湿風ダクト６０の気流取込口６１に跨って配置されている。このように構成することで、１つの送風ファン５０で２つのダクトに気流Ｗ１を供給することが可能である。
【００１９】
尚、本実施の形態では、送風ファン５０にシロッコファンを用いた形態で説明するが、
高湿風ダクト６０と送風ダクト８０の各気流取込口６１，８１に跨るように軸流ファンを設けても、同様の効果を得ることが可能である。また、送風ファン５０に軸流ファンを用いて、吸気口１２の近傍の吸気風路１１に設けてもよい。
更に、本実施の形態では、１つ送風ファン５０を用いて、高湿風ダクト６０と送風ダクト８０に対して気流Ｗ１を供給しているが、それぞれの気流取込口６１，８１に送風ファンを設けて気流を各ダクト内部へ供給してもよい。
このように構成することで、高湿風ダクト６０と送風ダクト８０に供給する気流の強さや量をそれぞれ独立して制御することができる。
【００２０】
次に、操作表示部９０は、本体１０の前面に設けられ、加湿器Ａの電源スイッチや各種の操作及び設定を行うスイッチ等の操作手段９１と、加湿器の状態を示すランプやＬＥＤ等の表示手段９２を備えている。
操作手段９１と表示手段９２は後述する制御部１００と通信可能に接続しており、操作手段９１を操作した際の信号は制御部１００に入力し、また、表示手段９２は制御部１００により点灯・消灯の制御がおこなわれる。
【００２１】
次に、制御部１００は、印刷配線基板上に、ＲＯＭ、ＲＡＭ、不揮発性メモリ等を有する記憶回路と、記憶回路に記憶された各種の制御プログラムを実行する演算処理部（ＣＰＵ）と、演算処理部に対して信号を入出力する入出力回路と、時間を計測するタイマー回路とを備えている。
【００２２】
制御部１００の入力側には、加湿器Ａの各部制御に必要な情報を取得するセンサ系統（図示せず）が接続されている。センサ系統には、例えば、給水タンク２０内の水位を検出する水位検出部、後述する温風Ｗ３の温度を検出する温度検出部、加湿器Ａ周辺の湿度を検出する湿度検出部、加湿器Ａの周囲に存在する人を検出する人体検出部、温風送出口８２に人が接近したことを検出する近接センサ等が含まれている。
また、制御部１００の出力側には、表示手段９２、加熱部７０を構成するヒータ、送風ファン５０が接続され、通電制御がおこなわれる。
【００２３】
このように構成された制御部１００は、本体１０の内部であって、吸気風路１１の前方で、送風ダクト８０の前方及び下方の空間に設けられている。
この制御部１００の配置空間は、水や湿気がある給水タンク２０や貯水部３０や超音波振動子（高湿空気生成部）４０や高湿風ダクト６０から最も離れた位置であり、また、これらの水や湿気のある各部と制御部１００との間に、水や湿気のない吸気風路１１や送風ダクト８０が介在する位置となる。
このように配置することにより、水や湿気から最も離れた位置に電子部品を有する制御部１００を位置させることができ、湿気から制御部１００を守ることができる。
【００２４】
以上のように構成された加湿器Ａは、次のように動作する。
図３を参照すると、この図に示すルーチンでは、ステップＳ１において、操作手段９１に設けられた電源スイッチ（運転開始スイッチ）が押されると、加湿器Ａの電源がＯＮとなり、加湿運転が開始される。
次に、ステップＳ２では、制御部１００により加熱部７０を構成するヒータと、超音波振動子４０と、送風ファン５０が起動（ＯＮ）される。
【００２５】
このように動作することで、高湿風ダクト６０の内部では、貯水部３０内の水が、超音波振動子４０により微細な粒子にされて高湿空気Ｗ０となり、貯水部３０の上方に噴出して、高湿風ダクト６０の内部に流入する。
また、高湿風ダクト６０の内部には、送風ファン５０から送り出された気流Ｗ１が流入しており、高湿空気Ｗ０と混ざり合って高湿風Ｗ２となり、高湿風送出口６２に至る。
【００２６】
ここで高湿風ダクト６０は、送風ダクト８０の後方から上方に至るように配置されているので、本体１０の内部において、ダクトの長さがより長くなる構成となっている。
これにより、本体１０の限られた配置空間内で高湿風ダクト６０をより長く構成することができ、高湿空気Ｗ０と気流Ｗ１が混ざり合う空間をより長くすることができる。従って、このような構成とすることで、高湿空気Ｗ０と気流Ｗ１の混ざりムラが少ない高湿風Ｗ２を生成することが可能である。
【００２７】
また、気流Ｗ１は、高湿空気生成部である超音波振動子４０の側方を下方から上方に向けて流れるので、高湿空気Ｗ０が気流Ｗ１に引っ張られて（誘引されて）高湿風送出口６２に流れていきやすい。
従って、このように構成することで、高湿空気Ｗ０が高湿空気生成部付近に滞留しにくく、効率よく高湿空気Ｗ０高湿風ダクト６０の内部に送り込むことができる。
【００２８】
次に、上記の高湿風ダクト６０の内部の動作と同時に、送風ダクト８０の内部には、送風ファン５０から送り出された気流Ｗ１が流入する。そして、気流Ｗ１が送風ダクト８０の内部を流れ、加熱部７０を通過する際に暖められて温風Ｗ３となり、温風送出口８２に至る。
【００２９】
そして、温風Ｗ３と高湿風Ｗ２は、次のように高湿風送出口６２と温風送出口８２から本体１０の前方に向けて送出される。
まず、温風送出口８２は、本体１０を前方から見て、高湿風送出口６２の下方に位置する。温風Ｗ３は、温風送出口８２から、本体１０の前方であって水平方向に向かって送出される。
【００３０】
次に、高湿風送出口６２は、本体１０を前方から見て、温風送出口８２の上方に位置する。高湿風Ｗ２は、高湿風送出口６２から、本体１０の前方であって、水平方向より下方向（前斜め下方向）に送出される。
つまり、高湿風Ｗ２は、温風送出口６２から送出された温風Ｗ３の流れに向かって、高湿風送出口６２から送出される。
【００３１】
ここで、温風Ｗ３は、温風送出口８２より送出されると上昇しながら前方に進む。高湿風Ｗ２は、ミスト状の水を含む気流であり、低温であることから、上昇せずに高湿風送出口６２から送出された方向（前斜め下方向）に進む。
従って、前斜め下方向に進む高湿風Ｗ２と、上昇しながら前方に進む温風Ｗ３が、上下方向から混じりあい、熱交換しながら温かい高湿温風Ｗ４となって前方向に流れ、より本体から遠い位置に湿度の高い空気を届けることができる。
【００３２】
つまり、温風Ｗ３と高湿風Ｗ２を混ざるように吹き出すことで、低風速の高湿風Ｗ２でも、水平方向への送風距離をより長くすることができ、本体から送出した高湿温風Ｗ４が到達する距離をより長くすることが可能となる。
また、高湿送出口６２から送出する高湿風Ｗ２は、温風送出口８２からの温風Ｗ３の送出方向に交わる方向に向くので、上昇しようとする温風Ｗ３と高湿風Ｗ２が、より混合しやすく構成することができる。
また、高湿風生成部は、超音波振動子４０を用いているので、貯水部３０に保持されている水を容易にミスト化することができ、効率よく高湿空気Ｗ０を生成することが可能である。
【００３３】
次に、ステップＳ３では、まず、センサ系統により人体の検出、人体との距離の検出、室内の湿度の検出を実行する。そして、例えば、センサ系統による検出結果と、ユーザによる運転条件の設定とに基づいて、加湿器Ａの運転状態を調整する。
具体例を挙げると、制御部１００には、例えば、加湿器Ａの位置での湿度と、ユーザまでの距離との関係と、ユーザの位置での湿度との関係を示す特性データが予め記憶されている。制御部１００は、センサ系統により実際に検出した湿度及び距離に基づいて、前記特性データからユーザの位置の湿度を推定する。
【００３４】
そして、推定した湿度に基づいて、例えば、加熱部７０、送風ファン５０、高湿空気生成部（超音波振動子４０）を間欠運転することにより、加湿器Ａの運転状態を調整する。
一例を挙げると、制御部１００は、推定した湿度が適切な湿度範囲を下回る場合に、加熱部７０、送風ファン５０、高湿空気生成部（超音波振動子４０）をＯＮ状態とし、推定した湿度が前記湿度範囲を上回る場合に、加熱部７０、送風ファン５０、高湿空気生成部（超音波振動子４０）をＯＦＦ状態とする構成としてもよい。
【００３５】
次に、ステップＳ４では、予め設定された各種の条件に基づいて加湿器の電源をＯＦＦするか否かを判定する。
具体例を挙げると、下記の条件（１）〜（５）の少なくとも１つが成立した場合には、ステップＳ５に移行し、加湿器Ａの電源をＯＦＦする。一方、条件（１）〜（５）の全てが不成立である場合には、ステップＳ３，Ｓ４の処理を繰り返す。
【００３６】
（１）ユーザにより電源スイッチがＯＦＦされたか？
（２）タイマーに設定された時間が経過したか？
（３）給水タンク２０から水が無くなったか？
（４）高湿風ダクト３０内の温度が許容範囲を超えて上昇したか？
（５）高湿風吹出口４１等に人体が接触したか？
【００３７】
以上、本実施の形態では、高湿風ダクト６０内部に貯水部３０が一部分入り込んだ構成となっているが、高湿風ダクト６０の外に貯水部３０を構成し、貯水部３０の上方から高湿風ダクト６０を繋ぐ接続ダクトを設けて、この接続ダクトを通して高湿空気Ｗ０を高湿風ダクト６０の内部に導くように構成してもよい。
これにより、貯水部３０が高湿風ダクト６０の内部に突出しないので、気流Ｗ１の流れを妨げにくく構成することができる。
【００３８】
更に、本実施の形態において、加湿運転を開始後、超音波振動子４０と送風ファン５０を同時に動作開始する形態で説明したが、運転開始後、先に送風ファン５０を動作させた後に超音波振動子４０を動作させてもよい。
このように、超音波振動子４０を送風ファン５０より遅れて動作を開始させることにより、超音波振動子４０が生成した高湿空気Ｗ０が、高湿風ダクト６０の内部を送風ファン５０に向かって逆流することを防ぐことができる。
【００３９】
更に、加湿運転終了後、超音波振動子４０の動作を停止した後、所定の間、送風ファン５０を動作させ続けてもよい。
このように、加湿運転終了後、送風ファン５０を追加動作させることにより、高湿風ダクト６０内部に気流Ｗ１を送り続けることで、高湿風ダクト６０の内部の湿気を乾かすことができ、雑菌の繁殖を抑止することができる。
尚、加湿運転終了後、送風ファン５０の追加動作は、通常の加湿運転時の際の送風出力より押えた出力で運転すると、省エネ・静音運転を行うことができる。
また、送風ファン５０を追加動作させている際には、表示手段９２に追加動作を行っている旨の表示を行うとよい。
【００４０】
更に、本実施の形態において、一例として温風送出口８２が高湿風送出口６２の下方に位置し、温風Ｗ３は前方であって水平方向に温風送出口８２から送出され、高湿風Ｗ２は前方であって水平方向より下方向（前斜め下方向）に高湿風送出口６２から送出する形態で説明したが、温風送出口８２が高湿風送出口６２の下方に位置する構成であれば、温風Ｗ３と高湿風Ｗ２の送出方向が交わるように、高湿風ダクト６０と送付ダクト８０を構成することで、高湿風Ｗ２をより遠くへ狙った位置に送出することができる。
【００４１】
更に、本実施の形態において、加熱部７０を構成するヒータを、ＰＴＣヒータなどの自己温度制御式のヒータを用いてもよい。自己温度制御式のヒータを用いることにより、制御部１００を用いることなく、容易にヒータの温度調節を適切に行うことができ、温風Ｗ３の温度を適切に保つことができる。
【００４２】
更に、本実施の形態において、高湿空気生成部４０又は貯水部３０に、水に含まれる雑菌を減少させる除菌手段を備えるとよい。除菌手段は、例えば、赤外線照射装置や放電装置や抗菌剤装着構造を用いるとよい。
これにより、貯水部３０に保持されている水や高湿空気生成部４０に至った水に含まれる菌を殺菌したり、また、菌が増殖しないように維持したりすることができる。
【００４３】
実施の形態２
次に、実施の形態２に係る加湿器Ｂを説明する。尚、実施の形態１と同じ構成については同じ符号を付し説明を省略する。
図４を参照すると、加湿器Ｂの貯水部３０に設けられる高湿空気生成部は、気化フィルター４１が用いられる。気化フィルター４１は、水を吸収する材料（例えば、レーヨン等）により構成されており、給水部４１ａと蒸発部４１ｂが形成されている。
気化フルタ―４１は、蒸発部４１ｂの表面積は給水部４１ａの表面積より大きく構成されており、給水部４１ｂが貯水部３０に保持された水の内部に浸る位置にあり、蒸発部４１ｂが高湿風ダクト６０の内部に位置する。
【００４４】
以上のように構成された加湿器Ｂは、次のように動作する。
操作手段９１に設けられた電源スイッチ（運転開始スイッチ）が押されると、加湿器Ｂの電源がＯＮとなり、加湿運転が開始される。そして、制御部１００により加熱部７０を構成するヒータと、送風ファン５０が起動（ＯＮ）される。
【００４５】
このように動作することで、高湿風ダクト６０の内部には、送風ファン５０から送り出された気流Ｗ１が流入する。気流Ｗ１は、気化フィルター４１の周囲を含む高湿風ダクト６０内を流れ、高湿風送出口６２に向けて流下する。
このとき、気流Ｗ１が気化フィルター４１の周囲を流れる際に、蒸発部４１ｂに含まれている水分が気化し、高湿空気Ｗ０が生成する。高湿空気Ｗ０と気流Ｗ１は、高湿風送出口６２に至る高湿風ダクト６０の内部で混ざり合うことで、高湿風Ｗ２を生成する。
気化フィルター４１においては、蒸発部４１ｂから水分が蒸発すると、給水部４１ａが貯水部３０内部の水を吸い上げ、毛細管現象が生じて蒸発部４１ｂへと水分を供給する。
【００４６】
以上のように、気化フィルター４１で高湿空気生成部を構成することで、貯水部３０に保持された水を気化し、気流Ｗ１と混ざり合うことで、高湿風Ｗ２を形成することができる。特に、気化フィルター４１を用いることで、高湿空気生成部において電力を用いることなく、容易な構成で水を気化することができる。
また、気化フィルター４１は、蒸発部４１ｂの表面積は給水部４１ａの表面積より大きく構成されているので、給水部４１ａから毛細管現象により吸い上げた水分を、効率よく気化させることが可能である。
【００４７】
実施の形態３
次に、実施の形態３に係る加湿器Ｃを説明する。尚、実施の形態１と同じ構成については同じ符号を付し説明を省略する。
図５〜図６を参照すると、加湿器Ｃの高湿風送出口６２は矩形状を成しており、この高湿風送出口６２の下側開口縁６２ａには、上方に向けて突出する乱流生成部６４が設けられている。
【００４８】
このように、高湿風送出口６２に乱流生成部６４を設けることにより、高湿風送出口６２を通過する高湿風６２の流れを阻害して、高湿風６２に乱流を生じさせることができる。乱流生成部６４の形状を鋸状に構成すると乱流生成部６４の下流に渦流が発生し、高湿風の気流に揺らぎが生じる。
これにより、高湿風Ｗ２と温風Ｗ３が混ざりやすくすることができ、高湿風Ｗ２と温風Ｗ３との間の熱交換を促し、温かい高湿温風Ｗ４を生成して前方向に流すことができる。
特に、高湿風送出口６２の下側開口縁６２ａにのみ乱流生成部６４を形成することで、高湿風Ｗ２が温風Ｗ３と混ざり合う側にのみ乱流を生成するように構成しているので、高湿風Ｗ２と温風Ｗ３が混ざり合わない部分（上側や左右側）の高湿風Ｗ２の流れを阻害しにくい。
【００４９】
また、乱流生成部６４は、下側開口縁６２ａの左右の端となる部分には設けない構成となっている。加湿器Ｃの場合、下側開口縁６２ａの中心を含む所定の幅に乱流生成部６４を設け、下側開口縁６２ａの左右の端を含む部分には、乱流生成部６４を設けていない構成となっている。
このように構成することで、高湿風Ｗ２の左右の端の部分には乱流を生じさせずに、その内側の領域に乱流を生じさせることで、高湿風Ｗ２の左右方向への広がりを防ぐとともに、温風Ｗ３との混ざり合いを促進させることが可能となる。
また、乱流生成部６４の形状を鋸状に構成すると、高湿風が乱流生成部６４を通過する際の風切音を、乱流生成部６４を平坦な形状の遮蔽板で構成する場合よりも低減することができる。
【符号の説明】
【００５０】
１０  本体、１１  吸気風路、１２  吸気口、２０  給水タンク、２１  給水弁、３０貯水部、３１  タンク受け部、４０  超音波振動子（高湿空気生成部）、４１  気化フィルター（高湿空気生成部）、５０  送風ファン、６０  高湿風ダクト、６１  気流取込口、６２  高湿風送出口、６２ａ  下側開口縁、６３  風向調節部、６４  乱流生成部、７０  加熱部、８０  送風ダクト、８１  気流取込口、８２  温風送出口、９０  操作表示部、９１  操作手段、９２  表示手段、１００  制御部、Ｗ０  高湿空気、Ｗ１  気流、Ｗ２  高湿風、Ｗ３  温風、Ｗ４  高湿温風
【図１】
2016130598.tif 000003
【図２】
2016130598.tif 000004
【図３】
2016130598.tif 000005
【図４】
2016130598.tif 000006
【図５】
2016130598.tif 000007
【図６】
2016130598.tif 000008